(57)【要約】【課題】金属外殻とプラスチック部材の堅固な結合、プラスチック部材の剥離の防止、製造方式の円滑快速及びコストの低減等目的を達成する電子製品の金属外殻とプラスチック材の組合せ構造の提供。【解決手段】金属外殻及び金属外殻に接着されるプラスチック部材を含み、金属外殻とプラスチック部材の間は粘着テープを通じて互いに粘着連接し、粘着テープは吸着材質が金属及びプラスチックを活性化する第一接着剤を吸収（塗布、スプレーまたは印刷方式）し、並びに第一接着剤が凝固を経た後構成される。【選択図】  図１
2011218683.tif 000002
【特許請求の範囲】
【請求項１】
電子製品の金属外殻とプラスチック材の組合せ構造で、それは金属外殻及び金属外殻に接着される最少一つのプラスチック部材を含み、金属外殻とプラスチック部材の間は粘着テープを通じて互いに粘着連接し、粘着テープは吸着材質が金属及びプラスチックを活性化する第一接着剤を吸収し、並びに第一接着剤が凝固を経た後構成されることを特徴とする電子製品の金属外殻とプラスチック材の組合せ構造。
【請求項２】
前記粘着テープの吸着材料は紡織品、不織布、ガラス繊維または紙の中の一種であることを特徴とする請求項１記載の電子製品の金属外殻とプラスチック材の組合せ構造。
【請求項３】
前記第一接着剤は常温反応型接着剤、熱反応型接着剤または光反応型接着剤中の一種またはそれの組合せであることを特徴とする請求項１記載の電子製品の金属外殻とプラスチック材の組合せ構造。
【請求項４】
前記粘着テープの一面に第二接着剤が塗布され、第二接着剤の表面に離形紙が貼り付けてあることを特徴とする請求項１記載の電子製品の金属外殻とプラスチック材の組合せ構造。
【請求項５】
前記金属外殻はアルミ合金、マグネシューム合金、アイアン合金、チタン合金中の一種またはそれの組合せであることを特徴とする請求項１記載の電子製品の金属外殻とプラスチック材の組合せ構造。
【請求項６】
前記プラスチック部材は嵌め込み射出成型によって粘着テープに粘着されてあることを特徴とする請求項１記載の電子製品の金属外殻とプラスチック材の組合せ構造。
【請求項７】
前記プラスチック部材は押し出し成型によって粘着テープに粘着されてあることを特徴とする請求項１記載の電子製品の金属外殻とプラスチック材の組合せ構造。
【請求項８】
前記プラスチック部材はねじ孔を具えるプラスチックの構造体であることを特徴とする請求項１記載の電子製品の金属外殻とプラスチック材の組合せ構造。
【請求項９】
前記プラスチック部材は嵌め付け機構を具えるプラスチックの構造体であることを特徴とする請求項１記載の電子製品の金属外殻とプラスチック材の組合せ構造。
【発明の詳細な説明】
【技術分野】
【０００１】
本発明は電子製品の金属外殻とプラスチック(plastic)材の組合せ構造に関するもので、特に粘着テープ(tape)を応用して電子製品の金属外殻とプラスチック材を連接した組合せ構造の設計を指したものである。
【背景技術】
【０００２】
現在の消費性電子製品、例えばノートブック(note book) 、型コンピュータ(computer)、携帯電話、デジタルポータブルステレオ(digital
portable stereo)、カーナビゲーション(car navigation)等、それらの主要はプラスチック材を使って外殻を構成しているが、プラスチック材は金属材料に相対して剛性不足の問題が存在するので、消費性電子製品の外殻として使われる場合、それの厚さを増やしまたは補強構造を加えなければならなく、こうすると消費性電子製品の体積を小さくすることができなく、かつ熱伝導の排熱効果を阻害してしまう。このように、現在の多くの消費性電子製品はアルミ(aluminium)合金、マグネシューム(magnesium)合金または他の金属を改め採用して外殻を構成し、これら金属の外殻は剛性がいい、厚さが薄い、排熱性良好、金属表面の光沢が優れている等特性を具えているが、電子部材（例えば印刷回路板）を金属外殻の内部に組み付ける場合、或いは外殻の正面と外殻の裏面を互いに結合させる場合、如何にして極めて薄い金属外殻にねじ孔または嵌め付け機構を実施し、ねじまたは嵌め付け機構等の締め付け結合を提供するかは、遂に苦手な技術問題になっている。
【０００３】
従来の金属外殻にねじ孔または嵌め付け機構等構造を実施する場合、普通は接着塗布機をもって直接接着剤を金属外殻の選定された個所に塗布し、それから最少一つのねじまたは嵌め付け機構を具えるプラスチック材を金属外殻に接着し、このように接着剤を通じて金属外殻とプラスチックを連接している。ところが、このように接着剤を使って金属外殻とプラスチック材を直接接着することは接着の構造強度が不足、実施方法に時間がかかり、かつねじを締め付けるときにプラスチック材がひねり回されて脱落する状況が発生する。もう一種の金属外殻にねじ孔を実施する構造は、先ず金属外殻の選定個所に表面処理を行い、金属外殻の表面に微小な孔を具えるようにし、更に嵌め込み射出成型方式をもってプラスチック材をその表面に直接成型させ、このようにプラスチック部材と金属外殻を結合させるが、表面処理を実施する手順は相対的に複雑であり、製造コスト(cost)を下げることができない。
【０００４】
このほか、従来のプラスチック材を嵌め込み射出成型方式で金属外殻の嵌め込み個所または表面処理個所に結合させる過程は、金属外殻を射出成型の型内に入れなければならなく、一種の射出成型の型は一種の金属外殻の形状だけに組み合わすことができ、金属外殻の形状またはサイズ(size)に少々変化があると、別の型を開発しなければならなく、こうすると製品の製造コストが高くなり、製造方式にも円滑な変化がないので、金属外殻を少量多様化の製造モード(mode)に実施するには適合しない。
【発明の概要】
【発明が解決しようとする課題】
【０００５】
本発明の主要目的は電子製品の金属外殻とプラスチック材の組合せ構造を提供するもので、それは金属外殻、プラスチック部材及び接着剤を吸収したテープの組合せ構造設計により、電子製品の金属外殻とプラスチック部材の間を粘着テープを通じて互いに粘着連接し、金属外殻とプラスチック部材の堅固な結合、プラスチック部材の剥離の防止、及びコスト低減の目的が達成される。
【０００６】
本発明の次の目的は接着剤を吸収したテープの設計により、プラスチック部材の射出成型（または押し出し成型）を便利にし、それからプラスチック部材を粘着テープを通じて金属外殻に接着し、製造方式の円滑、金属外殻の多様化に適する製造目的を達成する電子製品の金属外殻とプラスチック材の組合せ構造を提供する。
【０００７】
上記目的を達成するため、本発明電子製品の金属外殻とプラスチック材の組合せ構造の実施内容は金属外殻、及び金属外殻に接着される最少一つのプラスチック部材を含み、それの特徴は金属外殻とプラスチック部材の間は粘着テープを通じて互いに粘着連接し、粘着テープは吸着材質が金属及びプラスチックを活性化する第一接着剤を吸収（塗布、スプレー(spray)または印刷方式）し、並びに第一接着剤が凝固を経た後構成される。
【０００８】
上記粘着テープの吸着材料は軟性の紡織品、不織布、ガラス(glass)繊維または紙の一種である。吸着材料は塗布、スプレーまたは印刷方式を経て金属及びプラスチックを活性化する第一接着剤を吸着材料に作用した後、一面に更に一層の第二接着剤を塗布することを採用し、並びに第二接着剤の表面に離形紙を貼り付け、粘着テープを予備として倉庫に保存する。前記金属外殻はアルミ合金、マグネシューム合金、アイアン合金、チタン(titanium)中の一種またはそれの組合せである。プラスチック部材は嵌め込み射出成型（または押し出し成型）によって粘着テープに粘着される。プラスチック部材はねじ孔または嵌め付け機構を具えるプラスチックの構造体である。
【０００９】
上記本発明電子製品の金属外殻とプラスチック材の組合せ構造の設計により、それは金属外殻とプラスチック部材の堅固な結合、プラスチック部材の剥離の防止、コストの低減、製造方式の円滑快速、及び金属外殻の多様化製造に適する効果が達成される。
【課題を解決するための手段】
【００１０】
電子製品の金属外殻とプラスチック材の組合せ構造の一種で、それは金属外殻及び金属外殻に粘着されるプラスチック部材を含む。金属外殻とプラスチック部材の間は粘着テープを通じて互いに粘着連接し、粘着テープは吸着材質が金属及びプラスチックを活性化する接着剤を吸収（塗布、スプレーまたは印刷方式）し、並びに接着剤が凝固を経た後構成される。これにより、本発明の電子製品の金属外殻とプラスチック材の組合せ構造は金属外殻とプラスチック部材の堅固な結合、プラスチック部材の剥離の防止、製造方式の円滑快速及びコストの低減等目的が達成される。
【図面の簡単な説明】
【００１１】
【図１】本発明の最適実施例の組合せ断面図である。
【図２】本発明の最適実施例の組合せ立体図である。
【図３】本発明の最適実施例の分解立体図Aである。
【図４】本発明の最適実施例の分解立体図Bである。
【図５】本発明の粘着テープを円筒形に巻き上げた立体図である。
【図６】本発明の粘着テープの別の実施例の断面図である。
【図７】本発明の粘着テープが予めプラスチック部材に成型された立体図である。
【図８】本発明の粘着テープが予めプラスチック部材に成型された粘着の作動図である。
【発明を実施するための形態】
【００１２】
図１、図２及び図３に示すように、本発明電子製品の金属外殻とプラスチック材の組合せ構造の最適実施例は電子製品の金属外殻1、及び金属外殻1の内面または他の選定された面に粘着される最少一つのプラスチック部材2を含む。それの特徴は金属外殻1とプラスチック部材2の間は粘着テープ3を通じて互いに粘着連接し、粘着テープ3はシート(sheet)状の吸着材質で第一接着剤を吸収し、並びに第一接着剤が凝固を経た後構成される。このほか、前記金属外殻1はアルミ合金、マグネシューム合金、アイアン合金、チタン合金中の一種またはそれの組合せである。プラスチック部材2は嵌め込み射出成型（または押し出し成型）によって粘着テープ3に粘着され、プラスチック部材2はねじ孔21（または嵌め付け機構）を具えるプラスチックの構造体であり、これによって電子製品の金属外殻とプラスチック材の組合せ構造を構成する。
【００１３】
図５に示すように、上記粘着テープ3の吸着材料は軟性の紡織品、不織布、ガラス繊維または紙の一種である。前記第一接着剤は常温反応型接着剤、熱反応型接着剤または光反応型接着剤中の一種またはそれの組合せでよく、このように粘着テープ3の吸着材料（紡織品、不織布、ガラス繊維または紙）は第一接着剤を吸収（塗布、スプレーまたは印刷方式を採用）し、並びに第一接着剤が凝固した後、更に円筒状に巻き付け、金属外殻1とプラスチック部材2を粘着するときに引き出して使用される。
【００１４】
図４に示すように、本発明電子製品の金属外殻とプラスチック材の組合せ構造の実施方法は、予め面積がプラスチック部材2より大きい粘着テープ3を切り取り、それから先に粘着テープ3を金属外殻1の内面または其の他選定された面に貼り付け、更に粘着、加熱または光照射方式を通じて粘着テープ3の第一接着剤を金属外殻1に粘着する。または金属外殻1に貼り付ける前、もう一度粘着テープ3の一面に第一接着剤を塗布、スプレーまたは印刷し、それから粘着テープ3を金属外殻1の内面または其の他選定された面に貼り付け、再び粘着、加熱または光照射方式を通じて粘着テープ3の第一接着剤を金属外殻1に粘着する。上記方法を通じて粘着テープ3の貼り付けステップを完成した後、更に金属外殻1に嵌め込み射出成型または押し出し成型を行い、プラスチック部材2を粘着テープ3の表面に成型させ、射出成型または押し出し成型されたプラスチック部材2は粘着テープ3の第一接着剤に粘着され、これによって金属外殻とプラスチック材の組合せの製造過程が完成される。
【００１５】
図６に示すように、粘着テープ3に自己粘着の機能を具えるようにして金属外殻1への貼り付けを便利にするため、上記粘着テープ3の一面に第二接着剤4を塗布し、更に第二接着剤4の表面に離形紙5を貼り付けてもよい。このように第二接着剤4を用いて粘着テープ3を金属外殻1の内面または外の選定された面に貼り付け、更に金属外殻1に嵌め込み射出成型または押し出し成型を実施し、プラスチック部材2を粘着テープ3の表面に成型させ、射出成型または押し出し成型されたプラスチック部材2は同じく粘着テープ3の第一接着剤に粘着され、これによって金属外殻とプラスチック部材の組合せの製造過程が完成される。
【００１６】
本発明電子製品の金属外殻とプラスチック材の組合せ構造の設計により、プラスチック部材2は粘着テープ3を通じて金属外殻1の内面または其の他選定面に貼り付けられ、それは金属外殻1とプラスチック部材2の堅固な結合、及びプラスチック部材2の剥離を防止する効果が達成される。かつ従来の金属外殻に表面処理を行ってから、更にプラスチック材を射出成型する方式と相対して、本発明は粘着テープ3を通じて金属外殻1とプラスチック部材2を粘着しているので、面倒な表面処理の手順を節減することができ、製造コストを下げる効果が達成される。
【００１７】
ほかに図７及び図８に示すように、本発明の粘着テープ3は予め射出成型（または押し出し成型）の型内に入れ、先ずプラスチック部材2を粘着テープ3の一面に射出成型し、粘着テープ3に含有される第一接着剤を用いて射出成型（または押し出し成型）されたプラスチック部材2を粘着し、更に実際の需要によって粘着テープ3とプラスチック部材2を切り取り、それから前記粘着テープ3に含有される第一接着剤、または前記第二接着剤4を用いて金属外殻1の内面またはそのた選定面に粘着し、金属外殻1を射出成型の型内に入れて埋め込み射出成型方式を実施する必要がなく、製造方式の円滑、金属外殻1の多様化製造に適する効果が達成される。
【符号の説明】
【００１８】
1    金属外殻
2    プラスチック部材
21   ねじ孔
3    粘着テープ
4    第二接着剤
5    離形紙
【図１】
2011218683.tif 000003
【図２】
2011218683.tif 000004
【図３】
2011218683.tif 000005
【図４】
2011218683.tif 000006
【図５】
2011218683.tif 000007
【図６】
2011218683.tif 000008
【図７】
2011218683.tif 000009
【図８】
2011218683.tif 000010